(57)【要約】  本発明は、付加製造装置の出力放射源のヘッドシステムの較正のためのキットであって、  複数の基準マークを有する較正プレートと、  放射源の放射に反応する少なくとも１つの材料から形成された発射支持体と、を備え、この支持体は、較正プレートの基準マーク上の適所に存在する時に、較正プレートの基準マークを可視状態のままにし、  発射支持体が、較正プレートの様々な基準マークと重なり合って、発射支持体が較正プレート上の適所に存在する時に基準マークを可視状態のままにするような形で分布する複数の窓を含む、キットに関する。本発明は、このようなシステムの較正方法にも関する。【選択図】図１
2020524100.tif 000002
【特許請求の範囲】
【請求項１】
付加製造装置の出力放射源のヘッドシステムの較正のためのキットであって、
複数の基準マークを有する較正プレートと、
前記放射源の放射に反応する少なくとも１つの材料から形成された発射支持体と、
を備え、
前記支持体は、前記較正プレートの前記基準マーク上の適所に存在する時に、前記較正プレートの前記基準マークを可視状態のままにし、
前記発射支持体は、前記較正プレートの前記様々な基準マークと重なり合って、前記発射支持体が前記較正プレート上の適所に存在する時に前記基準マークを可視状態のままにするように分布する複数の窓を含む、
ことを特徴とするキット。
【請求項２】
前記基準マークは、前記較正プレート全体にわたって分布し、前記発射支持体は、前記較正プレートに対応するような寸法を有する、
請求項１に記載のキット。
【請求項３】
前記発射支持体にわたって動かすことができる可動光学測定装置を備える、
請求項１又は２のいずれかに記載のキット。
【請求項４】
前記光学測定装置が取り付けられるように意図された二重レール支持体を備える、
請求項３に記載のキット。
【請求項５】
前記較正プレート上の基準マークの数は６５×６５以下である、
請求項１から４の１項に記載のキット。
【請求項６】
付加製造装置の出力放射源のヘッドシステムの較正方法であって、前記システムの制御に適用すべき補正テーブルを決定するために、
複数の基準マークを示す較正プレートを前記付加製造装置内に配置するステップと、
前記放射源の放射に反応する少なくとも１つの材料から形成された、前記較正プレートの前記基準マーク上の適所に存在する時に前記較正プレートの前記基準マークを可視状態のままにする発射支持体を配置するステップと、
前記支持体を少なくとも１つの較正パターンでマーキングするために前記放射源を制御するステップと、
前記較正パターン及び少なくとも１つの基準マークの少なくとも１つの画像を取り込むステップと、
このように取得された前記１又は複数の画像に基づいて補正テーブルを決定するステップと、
を実行し、前記プレート及び前記発射支持体は、請求項１から５の１項に記載のキットのプレート及び発射支持体であり、
前記放射源は、所定の理論的目標点に理論的に中心を置く複数の較正パターンのマークアウトを前記発射支持体上に形成するために前記ヘッドシステムを使用して制御され、前記理論的目標点は、前記発射支持体にわたって、前記較正プレートの前記基準マークを可視状態のままにする前記様々な窓の直近に分布し、
前記取り込みステップ中に、一方では前記基準マークが、他方では前記理論的目標位置が前記直近に存在する領域の少なくとも１つの画像を取り込むために、前記較正プレートの基準マーク毎に前記発射支持体にわたって光学測定装置が動かされ、
このように取得された前記１又は複数の画像が、較正パターンを識別して該パターンに関する少なくとも１つの情報を決定するために基準マーク毎に処理され、前記様々な基準マークのための決定された前記較正パターン情報に基づいて、前記ヘッドシステム制御に適用すべき補正が決定される、
ことを特徴とする方法。
【請求項７】
前記取得された１又は複数の画像は、基準マーク毎に、該基準マークの正規直交基準フレーム内の前記発射パターンの中心位置を導出し、該中心位置と前記理論的目標位置との間のオフセットを決定するために処理される、
請求項６に記載の較正方法。
【請求項８】
前記較正プレートは、前記補正テーブル内の点の数に等しい数の基準マークを含む、
請求項６又は７に記載の較正方法。
【請求項９】
前記補正テーブルを決定するために、前記較正プレートの基準フレームを前記ヘッドに関連する基準フレームに変換する処理が使用される、
請求項６から８の１項に記載の方法。
【請求項１０】
前記処理は、前記較正プレート上の２つの所与の基準マークに対応するパターンを識別するステップと、該識別から、前記較正プレートの前記基準フレームと前記ヘッドに関連する基準フレームとの間の前記並進及び角回転に関するオフセットを決定するステップとを含む、
請求項９に記載の方法。
【請求項１１】
前記発射支持体が反転してチェック試験が行われる、
請求項６から１０の１項に記載の方法。
【請求項１２】
前記方法の前記ステップは、前記予想位置公差を示す発射パターンが取得されるまで反復的に繰り返される、
請求項１１に記載の方法。
【発明の詳細な説明】
【技術分野】
【０００１】
本発明は、選択的付加製造に関する。
【０００２】
具体的には、本発明は、付加製造装置の出力放射源（ｐｏｗｅｒ  ｒａｄｉａｔｉｏｎ  ｓｏｕｒｃｅ）のヘッドシステムの制御の較正に関する。
【背景技術】
【０００３】
選択的付加製造は、粉末材料（金属粉末、セラミック粉末）の連続層における選択領域を圧密化することによって３次元物体を形成するものである。圧密化領域は、３次元物体の連続断面に対応する。圧密化は、光源（例えば、高出力レーザー）又は粒子ビーム源（例えば、当業の用語によるＥＢＭ又は「電子ビーム溶解」として知られている技術における電子ビーム）などの集束放射源（ｆｏｃｕｓｅｄ  ｓｏｕｒｃｅ  ｏｆ  ｒａｄｉａｔｉｏｎ）を使用して行われる全体的又は部分的な選択的溶融によって層毎に実行される。
【０００４】
以下では、主に（当業の用語によるＳＬＭ又は「選択的レーザー溶融」において使用されるような）光源を参照する。
【０００５】
しかしながら、圧密化は、他のいずれかのタイプの放射を用いて適用することもできる。
【０００６】
図１に示すように、従来、光源を使用するタイプの付加製造装置は、一方では粉末材料の層に対する衝突点の位置に関する精度を、他方ではこの層に対するビームの集束に関する精度を高めるために、３つの検流計を含む３軸ヘッドシステムＳを使用する。
【０００７】
２つの検流計１、２は、２つのミラー３、４の回転を導くとともに、ヘッドから離れたビームの経路をチェックして（Ｘ及びＹ方向に制御される）粉体層（作業面Ｐ）上の衝突点の位置をチェックできるようにするために使用される。
【０００８】
さらに、検流計、並進モジュール及びレンズを含むＤＦＭ（当業の用語による「動的フォーカスモジュール」）が、上記レンズの並進運動を適合させることによって、粉体層上におけるビーム焦点の完全な調整（Ｚ方向での制御）を可能にする。図１には、ＤＦＭモジュール５が上流での焦点修正を可能にする、固定焦点を導入する対物レンズモジュール６も示す。
【０００９】
実際には、粉体層上にレーザービームが良好に集束されればされるほど、融点に伝わるエネルギーの量及びその制御も大きくなると理解されるであろう。
【００１０】
それにもかかわらず、このような３軸ヘッドシステムＳは、粉体層（平面Ｐ）における２つの主なタイプの変形を示唆する。
【００１１】
第１に、光ビームの傾斜に従って、粉体層が存在する作業面Ｐ上の焦点が変化する。実際に図２に示すように、ビームの傾斜は光路長の（図ではΔＺによって概略的に示す）変化の結果であり、ミラーによって誘導される遊びによって、或いは付加製造装置内に存在し得る様々な窓を通過することによって引き起こされる現象にこれらの変化自体を加える必要がある。
【００１２】
従って、この幾何学的オフセットを処理しなければ、作業面Ｐ全体にわたる焦点が一定にならない。
【００１３】
さらに、従来、作業面Ｐ上に、図のＸ及びＹ方向における非線形的変形（当業で一般的に使用される用語によれば「枕形」と呼ばれる変形−図３の形状ＰＳ）が見られる。この変形は、光路の形状によって引き起こされ、特にミラー及び光学系の位置と、これらのプレートＰからの距離とによって引き起こされる。
【００１４】
従来は、Ｘ及びＹ方向の歪みに対処するためにヘッドの制御を補正することが既知の慣行である。
【００１５】
これを行うために、既に決定されている専用の補正テーブルを使用する。
【００１６】
これらのテーブルから制御差（ｃｏｎｔｒｏｌ  ｄｉｆｆｅｒｅｎｔｉａｌｓ）を取得し、これを通じて３軸ヘッドの制御入力を補正する。従って、粉体層に対して補正されたＸ及びＹ方向の位置を使用して、光ビームによる発射（ｆｉｒｉｎｇｓ）及び作業面Ｐの掃引を行う。
【００１７】
これらの補正テーブルを決定するには、基準マークを有する較正プレートを使用することが既知の慣行である。光発射シーケンスは、プレート上の所定の目標位置において行われる。カメラを含む測定システムが、基準の基準フレーム（ｒｅｆｅｒｅｎｃｅ  ｆｒａｍｅｓ  ｏｆ  ｒｅｆｅｒｅｎｃｅ）に対するこれらのマーキングの位置を記録する。
【００１８】
このようにして較正プレート上に形成されたマーキングの位置と、理論的に標的化される発射位置との間の差分を使用して、光ビームヘッドシステムのＸ及びＹ方向の制御に適用する必要がある補正を計算する。
【００１９】
この方法の一例は、例えば欧州特許第１０４８４４１号、又は米国特許出願第２０１５／０１００１４９号、発射によって形成される穴とその輪郭とのコントラストを高めるための空洞をプレートが含む米国特許出願第２０１０／１７６５３９号、米国特許出願第２００３／１９２８６８号、米国特許第５，８３２，４１５号、及び米国特許出願第２０１４／０３３３９３１号に記載されている。
【００２０】
特に欧州特許第１０４８４４１号では、較正が、一方では基準マークを有するプレートを使用し、他方ではマーキングを受け取るためのシートを使用する。
【００２１】
従って、プレートは、光ビームに反応するシートを受け取る一方の領域と、このシートに覆われていない、基準マークを有する他方の領域という２つの領域に分割される。
【００２２】
米国特許第６，１７５，４１３号では、レーザービームの有無を検出する、光ビームに反応する検出面を含むプレートを使用してロボットシステムの較正が行われる。
【００２３】
しかしながら、このようにして行われるＸ及びＹ方向の補正は最適ではない。
【００２４】
さらに、提案されている処理では、粉体層上のビームの集束を最適化することができない。
【００２５】
容易に理解されるように、他の放射源（例えば、ＥＢＭ源）でも同様の較正問題が発生する。
【先行技術文献】
【特許文献】
【００２６】
【特許文献１】欧州特許第１０４８４４１号明細書
【特許文献２】米国特許出願公開第２０１５／０１００１４９号明細書
【特許文献３】米国特許出願公開第２０１０／１７６５３９号明細書
【特許文献４】米国特許出願公開第２００３／１９２８６８号明細書
【特許文献５】米国特許第５，８３２，４１５号明細書
【特許文献６】米国特許出願公開第２０１４／０３３３９３１号明細書
【特許文献７】米国特許第６，１７５，４１３号明細書
【発明の概要】
【発明が解決しようとする課題】
【００２７】
本発明の１つの目的は、発射に適用される補正を最適化できる自動較正ソリューションを提案することである。
【００２８】
具体的には、本発明の１つの目的は、先行技術よりも良好なＸ及びＹ方向の較正を可能にする較正ソリューションを提案することである。
【００２９】
本発明の別の目的は、放射源の集束の較正（Ｚ方向の較正）を可能にするソリューションを提案することである。
【課題を解決するための手段】
【００３０】
第１の態様によれば、本発明は、この目的のために、付加製造装置の出力放射源のヘッドシステムの較正のためのキットであって、
複数の基準マークを有する較正プレートと、
放射源の放射に反応する少なくとも１つの材料から形成された発射支持体と、
を備え、この支持体は、較正プレートの基準マーク上の適所に存在する時に、較正プレートの基準マークを可視状態のままにし、
発射支持体が、較正プレートの様々な基準マークと重なり合って、発射支持体が較正プレート上の適所に存在する時に基準マークを可視状態のままにするような形で分布する複数の窓を含む、キットを提案する。
【００３１】
上述したキットは、単独で又はこれらの全ての技術的に可能な組み合わせに従って採用される以下の様々な特徴が追加されることが有利である。
・基準マークが、較正プレート全体にわたって分布し、発射支持体が、上記較正プレートに対応するような寸法を有する。
・キットが、発射支持体にわたって動かすことができる可動光学測定装置を備える。
・キットが、光学測定装置が取り付けられるように意図された二重レール支持体を備える。
・較正プレート上の基準マークの数が６５×６５以下である。
【００３２】
第２の態様によれば、本発明は、付加製造装置の出力放射源のヘッドシステムの較正方法であって、上記システムの制御に適用すべき補正テーブルを決定するために、
複数の基準マークを示す較正プレートを付加製造装置内に配置するステップと、
放射源の放射に反応する少なくとも１つの材料から形成された、較正プレートの基準マーク上の適所に存在する時に較正プレートの基準マークを可視状態のままにする発射支持体を配置するステップと、
上記支持体を少なくとも１つの較正パターンでマーキングするために放射源を制御するステップと、
上記較正パターン及び少なくとも１つの基準マークの少なくとも１つの画像を取り込むステップと、
このように取得された１又は複数の画像に基づいて補正テーブルを決定するステップと、
を実行し、プレート及び発射支持体は、本発明の第１の態様によるキットのものであり、
放射源が、所定の理論的目標点に理論的に中心を置く複数の較正パターンのマークアウト（ｍａｒｋｉｎｇ−ｏｕｔ）を発射支持体上に形成するためにヘッドシステムを使用して制御され、理論的目標点が、上記発射支持体にわたって、較正プレートの基準マークを可視状態のままにする様々な窓の直近に分布し、
取得ステップ中に、一方では基準マークが、他方では理論的目標位置が直近に存在する領域の少なくとも１つの画像を取り込むために、較正プレートの基準マーク毎に発射支持体にわたって光学測定装置が動かされ、
このように取得された１又は複数の画像が、較正パターンを識別してこのパターンに関する少なくとも１つの情報を決定するために基準マーク毎に処理され、様々な基準マークのための決定された較正パターン情報に基づいて、ヘッドシステム制御に適用すべき補正が決定される、方法も提案する。
【００３３】
このような方法は、単独で又はこれらの全ての技術的に可能な組み合わせに従って採用される以下の様々な特徴が追加されることが有利である。
・取得された１又は複数の画像が、基準マーク毎に、この基準マークの正規直交基準フレーム内の発射パターンの中心位置を導出し、中心位置と理論的目標位置との間のオフセットを決定するために処理される。
・較正プレートが、補正テーブル内の点の数に等しい数の基準マークを含む。
・補正を決定するために、較正プレートの基準フレームをヘッドに関連する基準フレームに変換する処理が使用される。
・上記処理が、較正プレート上の２つの所与の基準マークに対応するパターンを識別するステップと、この識別から、較正プレートの基準フレームとヘッドに関連する基準フレームとの間の並進及び角回転に関するオフセットを決定するステップとを含む。
・発射支持体が反転してチェック試験が行われる。
・方法のステップが、予想位置公差を示す発射パターンが取得されるまで反復的に繰り返される。
【００３４】
添付図面に関連して読むべき以下の純粋に例示的かつ非限定的な説明から、本発明のさらなる特徴及び利点が明らかになるであろう。
【図面の簡単な説明】
【００３５】
【図１】選択的製造装置のレーザー発光源の３軸ヘッドの光学的シーケンスの概略図である。
【図２】補正を行わない時のこのような装置上の主な変形を示す図である。
【図３】補正を行わない時のこのような装置上の主な変形を示す図である。
【図４ａ】本発明による較正キット（較正アセンブリ）の例を概略的に示す図である。
【図４ｂ】この較正キットの光学キットの要素を詳細に示す図である。
【図５】較正プレートと発射支持体との重ね合わせを示す概略図である。
【図６】図４ａのキットの測定装置を取り付けるための２軸レールを有する支持体を概略的に示す図である。
【図７】図４ａのキットのカメラの測定領域内の画像を示す図である。
【図８ａ】較正パターンの領域内の発射支持体に対する衝突点を示す図である。
【図８ｂ】衝突点のガウス分布及び外挿される「ウエスト」点の決定を示す図である。
【図９】本発明の方法の１つの考えられる実装における様々なステップを示す図である。
【図１０】様々な発射パターンの衝突を示す発射支持体を示す図である。
【図１１】プレートの基準フレームからヘッドの基準フレームへの変換に使用される処理を示す図である。
【図１２】プレートの基準フレームからヘッドの基準フレームへの変換に使用される処理を示す図である。
【図１３】プレートの基準フレームからヘッドの基準フレームへの変換に使用される処理を示す図である。
【図１４】プレートの基準フレームからヘッドの基準フレームへの変換に使用される処理を示す図である。
【発明を実施するための形態】
【００３６】
較正キット
図４及び図５の較正キットは、基準較正プレート７と発射支持体８とを含むキットである。
【００３７】
この較正キットは、光センサを含むチェック装置９も含む。
【００３８】
基準プレート７は、目に見える複数の基準マーク１０を有するプレートである。
【００３９】
これらの基準マーク１０は、プレート全体にわたって既知のチェックされた位置に分布する。一例として、これらの基準マーク１０は、較正中に出力放射源によって完全に又は部分的に掃引されるように意図された６５×６５の行列点の付近に位置することができる。当然ながら、他の分布も可能である。
【００４０】
各基準点では、プレート上に正規直交基準フレーム（ｏｒｔｈｏｎｏｒｍａｌ  ｆｒａｍｅ  ｏｆ  ｒｅｆｅｒｅｎｃｅ）を定め、交点が基準点に対応する２つの直交軸によってマーク１０の可視マーキングが定められる。
【００４１】
一方で、発射支持体８は、放射線ビームに反応する材料のテープで構成される。
【００４２】
この支持体８は、Ｘ及びＹ方向の寸法がプレート７と同じであり、較正発射（ｃａｌｉｂｒａｔｉｏｎ  ｆｉｒｉｎｇｓ）中にプレート７上に配置される。
【００４３】
この支持体８は、プレート７上の基準マーク１０と同様に分布する複数の窓１１を有する。発射支持体８がプレート７上の適所に存在する時には窓１１の中心が基準マーク１０に合っており、従って基準マーク１０が目に見える。
【００４４】
装置９は、ＣＭＯＳ又はＣＣＤタイプのカメラ９ａと、光学対物レンズ９ｂと、専用照明システム９ｃとを含む。
【００４５】
専用照明システム９ｃは、例えばリング状の発光ダイオードから成る。カメラ９ａ及び対物レンズ９ｂは、発射支持体８上における近ミクロンスケールの許容差での測定を可能にする解像度の画像を可能にする。
【００４６】
この装置９は、例えば選択的印刷装置に組み込まれる。
【００４７】
別の例として、この装置９は、較正段階中にのみ選択的印刷装置に嵌め込むこともできる。
【００４８】
選択的印刷製造装置は、装置９及びカメラ９ａを受け入れる図６に示すような２軸レールの支持体１２を含む。このシステム１２は、装置９及びカメラ９ａを較正プレート７及び支持体８の上方でＸ及びＹ方向に手動で又は自動で誘導できるようにする。
【００４９】
収集された様々な画像は、後述する測定結果を導出するためにプロセッサ１３によって処理される。このプロセッサ１３は、例えば選択的印刷装置のプロセッサである。このプロセッサ１３は、選択的印刷装置のプロセッサとは異なる、選択的印刷装置のプロセッサとやりとりするプロセッサとすることもできる。
【００５０】
誤差測定
較正中、カメラ９ａは、様々な基準マーク１０の各々について、上記マーク１０（図７）に対応する正規直交マークアウトを示す画像を取り込む。
【００５１】
各基準マーク１０のマークアウトは、発射支持体８の窓１１によって実際に目に見える状態で残されており、例えば、窓１１は矩形開口部とすることができるが、当然ながら他の形状も可能である。
【００５２】
このような基準マーキング１０は、較正プレート７上に、カメラ９ｂが基準として使用する正規直交測定基準フレームを定める。
【００５３】
放射源及びそのヘッドシステムＳは、画像取り込みの前に、支持体８上の対応する基準マーク１０の近傍の所与の理論的目標位置において基準マーク１０毎に発射を実行するように制御されている。
【００５４】
この発射は、所定の発射パターン（図７の例では７×７の点を測定する行列パターン１５）に沿って分布する複数の発射点の連続として実行される。
【００５５】
図７では、（見えない）理論的目標位置が十字１４に対応する。
【００５６】
支持体８に衝突するパターンの発射の最後には、各基準マーキング１０の周囲の画像が取り込まれる。
【００５７】
取り込まれたマーキング１０の周囲領域の画像は、上記マーキング１０の正規直交基準フレームにおける発射パターン１５の中心（中間点）の位置（位置定測結果Ｘｍ及びＹｍ）と、従って理論的目標位置１４に対するこの位置のオフセットとを導出するために、これらのマーキング１０毎にプロセッサ１３によって処理される。
【００５８】
さらに、図８ａに示すように、パターン１５の様々な点における発射は、上記パターンの衝突点において異なる直径を生成するように制御される。
【００５９】
例えば、これらの発射のうちのいくつかは、異なるＺ方向制御によって、すなわち異なる焦点制御によって生成される。通常、これらの様々な発射のＺ方向制御は、パターンの中間点の周囲のガウス分布を理論的に取得するために点毎に増分される。
【００６０】
図８ａの例では、ガウス分布が、Ｙ方向の対称軸を有する分布である。
【００６１】
別の例として、この分布は、Ｘ及びＹの両方向におけるガウス（２次元ガウス分布に従う分布）とすることもできる。
【００６２】
以下の表に増分の分布例を示す。発射パターンは行列の形を取り、Ｚ方向制御値は、列毎（この例では左から右に）及び行毎に（下から上に）増加する。
【表１】
2020524100.tif 000003
【００６３】
増分０の中心点はパターンの中間点に対応し、ΔはＺ方向の制御の個々の増分値に対応する。従って、（ほんの一例として示す）７×７行列の発射の場合には、４９個のＺ方向制御値を試験することができる。
【００６４】
パターンが生成されると、プロセッサ１３によって実行される処理は、衝突点の直径の分布を分析し、この分布に基づいて「ウエスト」に対応するパターンの領域内の点を決定する。
【００６５】
この「ウエスト」点は、最小直径の衝突点、又は衝突点の直径の分布曲線から外挿された外挿点に対応する。
【００６６】
図８ａに示す例には、様々な異なる衝突点Ｉ１〜Ｉ４と、これらの点を通じたガウス的最良適合である曲線Ｇとを示している。
【００６７】
外挿点は、上記ガウスＧの最小値に対応する点Ｅである。
【００６８】
その後、このように選択された衝突点のＺ方向制御（又はこのように決定された外挿点に対応する外挿制御）をマーキングの理論的目標位置の制御として（補正ΔＺｍの形で）適用する。
【００６９】
これを補完するために、この理論的目標点と「ウエスト」に対応するとみなされる点との間の光路長の変化を考慮するための考えられる補正を実行することもできる。
【００７０】
この補正は、例えばこのさらなる集束補正を理論的目標点と最小直径の衝突点、又は「ウエスト」に対応するとみなされる点との間の距離の測定結果の関数として示すチャートを参照することによって決定される。
【００７１】
このような処理は、衝突点が行列形態の較正パターンを共に設計する場合にとりわけ容易になると理解されるであろう。当然ながら、他の多くの較正パターンの構成も可能である。
【００７２】
その後、次の較正発射においてパターン１５が中心を目標位置１４に置くためにヘッド制御システムＳのレベルで必要とされる補正値ΔＸ及びΔＹをビット単位で導出するために、測定結果Ｘｍ及びＹｍを処理する。
【００７３】
同様に、焦点を補正するためにＤＦＭモジュールに適用すべき補正ΔＺをＸｍ、Ｙｍ及びΔＺｍの関数として決定し、上記モジュールにビット単位でフィードバックする。
【００７４】
大きさの規模の考え方として、３軸ヘッドの検流計は、一般に（２24ビットにわたる各軸の指針である）２４ビットにわたって制御されるのに対し、補正格子上のＸ、Ｙ方向のステップ増分は、４２２５個の値（２６２個の１４４ビットのステップ）にわたって分布する。同様に、制御Ｚも２４ビットにわたって制御され、補正テーブルはＸ及びＹと同じ寸法を有する。
【００７５】
また、提案するタイプの行列形態パターンは、発射点の位置及び粉体層上の放射ビームの集束の両方に関してとりわけ有利であり、精密較正を可能にする。それにもかかわらず、他のパターンも可能である（行列形態パターンは、千鳥配列、円形パターン、楕円パターンなどで分布する）。
【００７６】
較正ステップ
第１のステップ（図９のステップ２１）において、３軸での事前補正テーブルをプロセッサ１３にロードする。
【００７７】
これらのテーブルは、理論モデルを使用して予め取得される。これにより、光学的シーケンスに関連する欠陥をかなりの程度まで排除することができる。このように、カメラの視野に適合する非常に限られた領域内で、エッチングにとって十分な焦点で較正発射を実行することができる。
【００７８】
第２のステップ（ステップ２２）において、選択的印刷によって物体を製造する装置内にプレート７を設置し、その上に発射支持体８を配置する。較正プレート７は、上記装置のプラットフォーム支持システム上に容易に直接設置できるような寸法を有する。
【００７９】
第３のステップ（ステップ２３）において、支持体８上の様々な理論的目標点１４において一連のパターンの発射を実行するようにビーム源及びヘッドを制御する。
【００８０】
理論的目標点は、較正プレート上の全部又は一部の基準マークと同様の点に対応するように選択される。
【００８１】
補正テーブルに使用される点の行列に対応する理論点の行列を使用すると、補正の影響を限定することができる。
【００８２】
それにもかかわらず、使用される基準点の数が、決定すべき補正テーブル内の点の数より少ないこともある。このような場合、不足している点を、目標点に関する結果から外挿することができる。
【００８３】
パターンの発射は、支持体８に対する衝突が目に見えてカメラ９ｂ（図１０）によって測定できるように、窓１１上ではなく支持体８の材料上に発射が行われるようにプレート上のＹ方向７．５ｍｍの地点を標的にする。
【００８４】
第４のステップ（図９のステップ２４）において、補正を可能にする光学測定を行うために、選択的印刷装置に測定装置９を導入する。
【００８５】
オペレータは、支持体８上の一群の様々な発射点の画像を連続して取り込むために、２軸支持体１２を使用して、手動で又は電動手段を使用して上記装置９を動かす。なお、較正プレート７は、基準マークに測定順が課されていなくても掃引を実行できるように、様々な基準マーク１０の付近に付番システムを有することができる。
【００８６】
このように取り込まれた画像は、プロセッサ１３がリアルタイムで処理する（ステップ２５）ことも、或いは後で処理できるように記憶することもできる。
【００８７】
測定及び処理は以下のように行われる。
【００８８】
所与の基準マーク上の画像を分析することにより、発射パターンの中心（中間）点の座標Ｘｍ及びＹｍを決定することができる。
【００８９】
この分析によって補正値ΔＺｍを決定することもできる。
【００９０】
ヘッドは、較正プレート７に対して１ミクロン以内まで機械的に配置することができず、従ってプロセッサ１３は、測定結果をヘッドの基準フレームに変換する基準変更処理動作を実行する。
【００９１】
図１１に、２つの基準フレーム間に存在し得る並進オフセット及び回転オフセットを誇張した形で示す。
【００９２】
並進オフセットを評価するには、パターンの一方の中心（中間点）を基準点（図１２の点Ａ）として使用する。
【００９３】
この点は、放射源ヘッド（ヘッドをＸ及びＹ方向に制御する検流計のビット単位の（座標（０，０））の下に位置するものとして選択されることが好ましい。
【００９４】
プロセッサは、基準マーク１０に対応する画像処理によって、プレートの基準フレーム内の対応する点の位置Ｘｍ０及びＹｍ０を決定し、この位置から、測定結果をヘッドの基準フレームに変換するために測定結果に適用すべき並進補正を導出することができる。
【００９５】
プロセッサ１３は、回転オフセットを評価するには、点Ａに対応するパターンと、点Ａと同じ線上のＸ方向に理論的に位置する第２の発射点（図１２の点Ｂ）に対応するパターンとを使用する。
【００９６】
これらの２つの位置ではミラー制御Ｙがゼロであるため、これらの２点を接続するベクトルはヘッドの基準フレームの水平線である。
【００９７】
プロセッサは、プレート７の基準フレーム内の点Ｂの位置によって、プレートの基準フレームとヘッドシステムＳ（図１３）の基準フレームとの間の角度θ０を決定することができる。
【００９８】
プロセッサ１３は、これらのパラメータを使用して、全ての記録画像について所望の基準フレーム変換を実行する。
【００９９】
従って、プロセッサ１３は、座標Ｘｍ及びＹｍを有する各測定点について、ヘッドシステムの基準フレーム内の対応する座標Ｘｍｔ及びＹｍｔを決定する。
【０１００】
その後、これらの測定結果は、２つのミラーの（Ｘ及びＹ方向の）移動制御のためのビット単位の補正値を取得するために処理される。
【０１０１】
このＸ及びＹ方向の補正自体により、プレート７に対する衝突点の変位、従って焦点の変化（図１４のＺｄに対応する変化）が生じる。プロセッサ１３は、光学系の法則を使用してこの変化Ｚｄを推定し、対応する検流計の値（ΔＺｄ）をビット単位で決定する。
【０１０２】
この補正を、支持体８上のパターン１５毎に（すなわち、較正点毎に）、正しいＺ方向の較正値を導出するために関連するパターンについてプロセッサ１３が決定した補正ΔＺｍにビット単位で追加する。
【０１０３】
プロセッサ１３は、補正が設定されると、新たな補正テーブルをメモリに記憶する。
【０１０４】
その後、装置は、チェック発射の準備が整う（ステップ２６）。
【０１０５】
このように補正テーブルが取得されると、発射支持体８を反転させ、オペレータが新たな一連のチェック発射を開始する。
【０１０６】
発射支持体８に対する衝突の位置（発射パターン）を記録し、プロセッサ１３がさらなる補正を決定する。
【０１０７】
適切な場合には、試験レポートを発行することもできる。
【０１０８】
チェック試験によって、位置及び集束精度が予想精度に対して不十分であると判明した場合、新たな補正テーブルを計算した後で、新たなチェック発射を行うことができる。
【０１０９】
従って、このプロセスは、較正が予想配置公差を満たすのに十分であると考えられるまで反復的に繰り返される。
【符号の説明】
【０１１０】
１  検流計
２  検流計
３  ミラー
４  ミラー
５  ＤＦＭモジュール
６  対物レンズモジュール
Ｐ  作業面
Ｓ  ３軸ヘッドシステム
【図１】
2020524100.tif 000004
【図２】
2020524100.tif 000005
【図３】
2020524100.tif 000006
【図４ａ】
2020524100.tif 000007
【図４ｂ】
2020524100.tif 000008
【図５】
2020524100.tif 000009
【図６】
2020524100.tif 000010
【図７】
2020524100.tif 000011
【図８ａ】
2020524100.tif 000012
【図８ｂ】
2020524100.tif 000013
【図９】
2020524100.tif 000014
【図１０】
2020524100.tif 000015
【図１１】
2020524100.tif 000016
【図１２】
2020524100.tif 000017
【図１３】
2020524100.tif 000018
【図１４】
2020524100.tif 000019
【国際調査報告】
2020524100.tif 000020
2020524100.tif 000021
2020524100.tif 000022
2020524100.tif 000023
2020524100.tif 000024
2020524100.tif 000025